(57)【要約】  マルチ・モード・トランシーバ（２０５）及びマルチ・モード・トランシーバを動作させるための回路（２２０）が開示される。マルチ・モード・トランシーバは、第１のモードでトランスミッタ及びレシーバの一方として動作するように構成され得る第１の回路（２２５）及び第２のモードでトランスミッタ及びレシーバの一方として動作するように構成され得る第２の回路（２３０）を含む。マルチ・モード・トランシーバは、第１の回路に結合される第１の要素を含む。マルチ・モード・トランシーバは、第１の要素及び一つ又は複数のポート（２５０）に結合される第２の要素を含む。マルチ・モード・トランシーバは更に、第２の要素と第２の回路とに結合され、第１の要素及び第２の要素に関連して第１のモード及び第２のモードの少なくとも一方でトランシーバを動作させるように構成され得る第１のスイッチ（３２５）を含む。
2013516897.tif 000002
【特許請求の範囲】
【請求項１】
装置であって、
第１のモードでトランスミッタ又はレシーバとして動作するように構成され得る第１の回路、
第２のモードで前記トランスミッタ又は前記レシーバとして動作するように構成され得る第２の回路、
前記第１の回路に結合される第１の要素、
前記第１の要素及び一つ又は複数のポートに結合される第２の要素、及び
前記第２の要素と前記第２の回路とに結合され、前記第１の要素及び前記第２の要素に関連して前記第１のモード及び前記第２のモードの少なくとも一方で前記装置を動作させるように構成され得る、第１のスイッチ、
を含む、装置。
【請求項２】
請求項１に記載の装置であって、前記第１の要素が第２のスイッチを含み、前記第２の要素がスイッチとして機能する変圧器を含む、装置。
【請求項３】
請求項２に記載の装置であって、前記第１のスイッチ及び前記第２のスイッチが、制御信号に応答して、前記変圧器に関連して前記第１のモード及び前記第２のモードの少なくとも一方で前記マルチ・モード・トランシーバを動作させる金属酸化物半導体スイッチであり、前記制御信号が前記マルチ・モード・トランシーバの動作の所望のモードに基づいて生成される、装置。
【請求項４】
請求項２に記載の装置であって、前記第１のスイッチ、前記第２のスイッチ、及び前記変圧器が、
前記マルチ・モード・トランシーバのパワーアンプと前記一つ又は複数のポートとの間、又は
前記一つ又は複数のポートと前記マルチ・モード・トランシーバの低雑音増幅器との間、
のうち少なくとも一方で結合される、装置。
【請求項５】
請求項１に記載の装置であって、前記第１の要素が第１のキャパシタを含み、前記第２の要素が第２のキャパシタを含む、装置。
【請求項６】
請求項５に記載の装置であって、前記第１のスイッチが、制御信号に応答して前記第１のキャパシタ及び前記第２のキャパシタに関連して前記第１のモード及び前記第２のモードの少なくとも一方で前記マルチ・モード・トランシーバを動作させる金属酸化物半導体スイッチであり、前記制御信号が前記マルチ・モード・トランシーバの動作の所望のモードに基づいて生成される、装置。
【請求項７】
請求項６に記載の装置であって、前記第１のキャパシタ、前記第２のキャパシタ、及び前記第１のスイッチが、
前記マルチ・モード・トランシーバのパワーアンプと前記一つ又は複数のポートとの間、又は
前記一つ又は複数のポートと前記マルチ・モード・トランシーバの低雑音増幅器との間、
のうち少なくとも一方で結合される、装置。
【請求項８】
請求項１に記載の装置であって、前記第１のモードが無線ローカル・エリア・ネットワーク・モード、ブルートゥース・モード、ＺｉｇＢｅｅモード、３Ｇモード、２．５Ｇモード又は２Ｇモードの少なくとも一つである、装置。
【請求項９】
請求項８に記載の前記トランシーバであって、前記第２のモードが前記無線ローカル・エリア・ネットワーク・モード、ブルートゥース・モード、ＺｉｇＢｅｅモード、３Ｇモード、２．５Ｇモード又は２Ｇモードの少なくとも別の１つである、装置。
【請求項１０】
マルチ・モード・トランスミッタであって、
第１のモードで動作するように構成され得る第１の回路、
第２のモードで動作するように構成され得る第２の回路、
前記第１の回路及び前記第２の回路に結合され、前記第１のモード及び前記第２のモードの一つで前記マルチ・モード・トランスミッタを動作させるスイッチとして機能する変圧器、及び、
前記変圧器に結合され、バイアス電圧に応答して前記変圧器に関連して前記第１のモード及び前記第２のモードの一つで前記マルチ・モード・トランスミッタを動作させる複数のスイッチであって、前記バイアス電圧が前記マルチ・モード・トランスミッタの動作の所望のモードに基づいて生成される、前記複数のスイッチ、
を含む、マルチ・モード・トランスミッタ。
【請求項１１】
請求項１０に記載の前記トランスミッタであって、前記複数のスイッチに結合され、前記マルチ・モード・トランスミッタの動作の所望のモードに基づいて前記バイアス電圧を生成する、バイアス回路を更に含む、マルチ・モード・トランスミッタ。
【請求項１２】
請求項１１に記載の前記トランスミッタであって、前記複数のスイッチ及び前記変圧器が、前記マルチ・モード・トランスミッタのプリ・パワーアンプとパワーアンプとの間に結合される、マルチ・モード・トランスミッタ。
【請求項１３】
請求項１２に記載の前記トランスミッタであって、前記第１のモードが２Ｇモード及び２．５Ｇモードの少なくとも一方であり、前記第２のモードが３Ｇモードである、マルチ・モード・トランスミッタ。
【請求項１４】
マルチ・モード・トランシーバであって、
第１のモードでトランスミッタ及びレシーバの一方として動作するように構成され得る第１の回路、
第２のモードで前記トランスミッタ及び前記レシーバの一方として動作するように構成され得る第２の回路、
一つ又は複数のポート及び前記第１の回路に結合される第１のキャパシタ、
前記一つ又は複数のポート、前記第１のキャパシタ、及び前記第２の回路に結合される第２のキャパシタ、及び、
前記第２のキャパシタに結合され、制御信号に応答して前記第１のキャパシタ及び前記第２のキャパシタに関連して前記第１のモード及び前記第２のモードの少なくとも一方で前記マルチ・モード・トランシーバを動作させる、スイッチであって、前記制御信号が前記マルチ・モード・トランシーバの動作の所望のモードに基づいて生成される、前記スイッチ、
を含む、マルチ・モード・トランシーバ。
【発明の詳細な説明】
【技術分野】
【０００１】
本開示の実施例はマルチ・モード・トランシーバに関連する。
【背景技術】
【０００２】
無線周波数（ＲＦ）トランシーバは、典型的に、信号を送信するためのトランスミッタ・セクション内の高電力増幅器と、信号を受信するためのレシーバ・セクション内の低雑音増幅器を含む。ＲＦトランシーバは、例えば３０ＭＨｚから３００ＭＨｚなどの、類似の周波数帯で信号を送信及び受信することができる。電力レベル、帯域幅、及び変調が異なる、異なるモードを有する多数の周波数帯又は類似の周波数帯で、信号を送信及び受信することが望ましいことがよくある。一例において、３０ＭＨｚから３００ＭＨｚの周波数範囲を有する第１の帯域で、及び３００ＭＨｚから３０００ＭＨｚの周波数範囲を有する第２の帯域で、ＲＦトランシーバを動作させることが望ましい場合がある。別の例では、異なる電力レベル、帯域幅、及び変調を有する、例えば、ブルートゥース・モード及び無線ローカル・エリア・ネットワーク（ＷＬＡＮ）モードなどの、異なるモードで、例えば、２．４ＧＨｚから２．５ＧＨｚなどの、同じＲＦ帯域でＲＦトランシーバを動作させることが望ましい。
【０００３】
図１は、先行技術に従ったＲＦトランシーバ１０５を図示する。ＲＦトランシーバ１０５は、電力レベル、帯域幅、及び変調が異なる、異なるモードを有する多数の周波数帯で又は類似の周波数帯でＲＦトランシーバ１０５を動作させることができるフロントエンド・モジュール１２０に結合される。フロントエンド・モジュール１２０は、例えばバンドパス・フィルタ（ＢＰＦ）などのフィルタ１１５を介して、アンテナ１１０に結合される。ＲＦトランシーバ１０５は、ＷＬＡＮモードに対応する部分１２５とブルートゥース・モードに対応する部分１３０を含む。部分１２５は、例えばプリ・パワーアンプ（ＰＰＡ）などの送信回路１４０Ａと、例えば低雑音増幅器（ＬＮＡ）などの受信回路１５０Ａを含み、部分１３０は、例えばＰＰＡなどの送信回路１４０Ｂと、例えばＬＮＡなどの受信回路１５０Ｂを含む。フロントエンド・モジュール１２０は、マッチング回路１４５を用いて多数の周波数帯内の信号をマッチング及び分離する。マッチング回路１４５は、パワーアンプ（ＰＡ）に結合されるマッチング・ネットワークを含む。フロントエンド・モジュール１２０内の、例えば送信／受信／ブルートゥーススイッチ（Ｔ／Ｒ／ＢＴスイッチ）などの、スイッチ１３５は、ＲＦトランシーバ１０５をＷＬＡＮモード及びブルートゥース・モードでトランスミッタ及びレシーバの一方として動作させるために用いられる。フロントエンド・モジュール１２０は、ＲＦトランシーバ１０５がＷＬＡＮモードの受信モードで機能するときアクティブであるバルン１５５も含む。しかし、フロントエンド・モジュール１２０を備えるとコストがかさみ、集積回路の領域も増大する。
【発明の概要】
【０００４】
マルチ・モード・トランシーバの一例は、第１のモードでトランスミッタ及びレシーバの一方として動作するように構成され得る第１の回路を含む。このマルチ・モード・トランシーバは更に、第２のモードで前記トランスミッタ及び前記レシーバの一方として動作するように構成され得る第２の回路を含む。更に、このマルチ・モード・トランシーバは、前記第１の回路に結合される第１の要素を含む。また、このマルチ・モード・トランシーバは、前記第１の要素及び一つ又は複数のポートに結合される第２の要素を含む。このマルチ・モード・トランシーバは更に、前記第２の要素と前記第２の回路とに結合され、前記第１の要素及び前記第２の要素に関連して前記第１のモード及び前記第２のモードの少なくとも一方で前記マルチ・モード・トランシーバを動作させるように構成され得る、第１のスイッチを含む。
【０００５】
マルチ・モード・トランスミッタの一例は、第１のモードで動作するように構成され得る第１の回路を含む。このマルチ・モード・トランスミッタは、第２のモードで動作するように構成され得る第２の回路を含む。このマルチ・モード・トランスミッタは更に、前記第１の回路及び前記第２の回路に結合される変圧器を含む。変圧器は、スイッチとして機能して、前記マルチ・モード・トランスミッタを前記第１のモード及び前記第２のモードの一方で動作させる。更に、このマルチ・モード・トランスミッタは、前記変圧器に結合される複数のスイッチを含む。前記複数のスイッチは、バイアス電圧に応答して前記変圧器に関連して前記第１のモード及び前記第２のモードの一方で前記マルチ・モード・トランスミッタを動作させる。このバイアス電圧は、前記マルチ・モード・トランスミッタの動作の所望のモードに基づいて生成される。
【０００６】
マルチ・モード・トランシーバの別の例は、第１のモードでトランスミッタ及びレシーバの一方として動作するように構成され得る第１の回路を含む。このマルチ・モード・トランシーバは、第２のモードで前記トランスミッタ及び前記レシーバの一方として動作するように構成され得る第２の回路を含む。このマルチ・モード・トランシーバは更に、一つ又は複数のポート及び前記第１の回路に結合される第１のキャパシタを含む。このマルチ・モード・トランシーバは更に、前記一つ又は複数のポート、前記第１のキャパシタ、及び前記第２の回路に結合される第２のキャパシタを含む。更に、前記マルチ・モード・トランシーバは、前記第２のキャパシタに結合されるスイッチを含む。このスイッチは、制御信号に応答して前記第１のキャパシタ及び前記第２のキャパシタに関連して前記第１のモード及び前記第２のモードの少なくとも一方で前記マルチ・モード・トランシーバを動作させる。この制御信号は、前記マルチ・モード・トランシーバの動作の所望のモードに基づいて生成される。
【図面の簡単な説明】
【０００７】
【図１】図１は、先行技術に従った無線周波数トランシーバのブロック図である。
【０００８】
【図２】図２は、一実施例に従ったマルチ・モード・トランシーバのブロック図である。
【０００９】
【図３】図３は、一実施例に従ったマルチ・モード・トランシーバの一部の概念図である。
【００１０】
【図４Ａ】図４Ａは、一実施例に従った種々のモードのマルチ・モード・トランシーバの一部の概念図である。
【図４Ｂ】図４Ｂは、一実施例に従った種々のモードのマルチ・モード・トランシーバの一部の概念図である。
【００１１】
【図５Ａ】図５Ａは、別の実施例に従ったマルチ・モード・トランシーバの一部の概念図である。
【図５Ｂ】図５Ｂは、別の実施例に従ったマルチ・モード・トランシーバの一部の概念図である。
【００１２】
【図６】図６は、更に別の実施例に従ったマルチ・モード・トランスミッタの概念図である。
【００１３】
【図７Ａ】図７Ａは、一実施例に従って、マルチ・モード・トランスミッタの多数のモードで信号を送信するための概念図である。
【図７Ｂ】図７Ｂは、一実施例に従って、マルチ・モード・トランスミッタの多数のモードで信号を送信するための概念図である。
【図７Ｃ】図７Ｃは、一実施例に従って、マルチ・モード・トランスミッタの多数のモードで信号を送信するための概念図である。
【図７Ｄ】図７Ｄは、一実施例に従って、マルチ・モード・トランスミッタの多数のモードで信号を送信するための概念図である。
【図７Ｅ】図７Ｅは、一実施例に従って、マルチ・モード・トランスミッタの多数のモードで信号を送信するための概念図である。
【００１４】
【図８】図８は、一実施例に従ってマルチ・モード・トランシーバを動作させるための方法を説明するフローチャートである。
【００１５】
【図９Ａ】図９Ａは、一実施例に従って、無線ローカル・エリア・ネットワーク・モードで動作するマルチ・モード・トランシーバの挿入損失を図示するグラフである。
【００１６】
【図９Ｂ】図９Ｂは、一実施例に従って、ブルートゥース・モードで動作するマルチ・モード・トランシーバの挿入損失を図示するグラフである。
【００１７】
【図９Ｃ】図９Ｃは、一実施例に従って、無線ローカル・エリア・ネットワーク・モード及びブルートゥース・モードで動作するマルチ・モード・トランシーバの挿入損失を図示するグラフである。
【００１８】
【図１０】図１０は、別の実施例に従って、無線ローカル・エリア・ネットワーク・モード及びブルートゥース・モードで動作するマルチ・モード・トランシーバの挿入損失を図示するグラフである。
【００１９】
【図１１Ａ】図１１Ａは、一実施例に従って、無線ローカル・エリア・ネットワーク・モードで動作するマルチ・モード・トランシーバの散乱パラメータ分析を図示するグラフである。
【００２０】
【図１１Ｂ】図１１Ｂは、一実施例に従って、ブルートゥース・モードで動作するマルチ・モード・トランシーバの散乱パラメータ分析を図示するグラフである。
【発明を実施するための形態】
【００２１】
マルチ・モード・トランシーバは、多数のモードで信号を送信及び受信することができる。このようなモードの例は、これらに限らないが、無線ローカル・エリア・ネットワーク（ＷＬＡＮ）モード、ブルートゥース・モード、ＺｉｇＢｅｅモード、広帯域符号分割多元接続（Ｗ−ＣＤＭＡ）モード、ＥＤＧＥ（enhanced data rates for global system mobile communication evolution）モード、３Ｇモード、２．５Ｇモード、及び２Ｇモードを含む。前記マルチ・モード・トランシーバを用いるデバイスの一例は携帯電話である。種々の要素を含むマルチ・モード・トランシーバを図２に関連して説明する。
【００２２】
図２はマルチ・モード・トランシーバ２０５を図示する。トランシーバ２０５は、アンテナ２１０を介して信号を受信及び送信する。トランシーバ２０５は、例えばバンドパス・フィルタ（ＢＰＦ）などのフィルタ２１５を介して、前記アンテナ２１０に結合される。
【００２３】
前記トランシーバ２０５は、第１のモードに対応する第１の回路２２５と第２のモードに対応する第２の回路２３０を含む。一例において、前記第１のモードは前記ＷＬＡＮモードに対応し、前記第２のモードは前記ブルートゥース・モードに対応する。各回路は、送信部と受信部を含む。前記送信部は、回路２２０をトランスミッタとして動作させるように構成され得、前記受信部は、前記回路２２０をレシーバとして動作させるように構成され得る。前記第１の回路２２５は、前記送信部内のパワーアンプ（ＰＡ）２４０に結合されるプリ・パワーアンプ（ＰＰＡ）回路２３５Ａと、前記受信部内の、例えば低雑音増幅器（ＬＮＡ）などの増幅器２４５Ａを含む。前記ＰＡ２４０及び前記増幅器２４５Ａは前記回路２２０に結合される。前記第２の回路２３０は、前記送信部内のＰＰＡ２３５Ｂと、前記受信部内の、例えば前記ＬＮＡなどの増幅器２４５Ｂを含む。前記ＰＰＡ２３５Ｂ及び前記増幅器２４５Ｂは前記回路２２０に結合される。
【００２４】
前記回路２２０は、例えばＲＦポートなどのポート２５０と、前記増幅器２４５Ａ、前記増幅器２４５Ｂ、前記ＰＡ２４０、及び前記ＰＰＡ２３５Ｂの一つ又は複数との間に結合され得る。幾つかの実施例において、前記回路２２０は、前記トランシーバ２０５の前記ＰＰＡ２３５Ａと前記ＰＡ２４０との間に結合されてもよい。
【００２５】
前記回路２２０は、前記トランシーバ２０５を前記第１のモード及び前記第２のモードの少なくとも一方で動作させるように構成され得る。前記回路２２０は、一つ又は複数のポート、例えば、前記ポート２５０、ブルートゥース・ポート、ＷＬＡＮポート、ＺｉｇＢｅｅポート、２Ｇポート、２．５Ｇポート、及び３Ｇポート、に結合され得る。前記ポート２５０及び前記一つ又は複数のポートは、前記フィルタ２１５に結合され得る。種々の要素を含む前記回路２２０を図３、図４Ａ、図４Ｂ、図５Ａ、図５Ｂ、図６、及び図７Ａ〜図７Ｅに関連して説明する。
【００２６】
次に図３を参照すると、前記回路２２０は、ＷＬＡＮポート３１０に結合される第１のキャパシタ３０５（第１の要素）を含み、後述ではこれを前記キャパシタ３０５と呼ぶ。前記回路２２０は更に、前記キャパシタ３０５、前記ポート２５０、前記ＷＬＡＮポート３１０、及びブルートゥース・ポート３２０に結合される第２のキャパシタ３１５（第２の要素）を含み、後述ではこれを前記キャパシタ３１５と呼ぶ。前記回路２２０は更に、前記キャパシタ３１５に結合されるスイッチ３２５（第１のスイッチ）を含む。
【００２７】
前記キャパシタ３０５は、バルン３３０を用いてＷＬＡＮモードの送信部３９１及び受信部３９２に結合される。一実施例において、前記バルン３３０は、前記トランシーバ２０５の、異なるインピーダンスを有する部分を結合するために用いられる。キャパシタ３３５が前記送信部３９１を前記受信部３９２から分離する。前記送信部３９１は、スイッチ３４０、スイッチ３４５、及びスイッチ３５０を用いて、前記第１の回路２２５を前記ＷＬＡＮモードのトランスミッタとして動作させるように構成され得る。前記受信部３９２は、前記スイッチ３４０、スイッチ３５５、及びスイッチ３６０を用いて、前記回路２２５を前記ＷＬＡＮモードのレシーバとして動作させるように構成され得る。前記スイッチ３４５及び前記スイッチ３５０は、前記ＰＡとして機能し得るトランジスタ３９５に結合される。前記スイッチ３５５及び前記スイッチ３６０は、前記ＬＮＡとして機能し得るトランジスタ３９６に結合される。
【００２８】
前記キャパシタ３１５は、チューニング回路３６５を用いて前記回路２３０の送信部３９３及び受信部３９４に結合される。前記送信部３９３は、スイッチ３７０、スイッチ３７５、及びスイッチ３８０を用いて、前記回路２３０をブルートゥース・モードのトランスミッタとして動作させるように構成され得る。前記受信部３９４は、前記スイッチ３７０、スイッチ３８５、及びスイッチ３９０を用いて、前記回路２３０を前記ブルートゥース・モードのレシーバとして動作させるように構成され得る。前記スイッチ３７５及び前記スイッチ３８０は、前記ＰＡとして機能し得るトランジスタ３９７に結合される。前記スイッチ３８５及び前記スイッチ３９０は、前記ＬＮＡとして機能し得るトランジスタ３９８に結合される。
【００２９】
前記回路２２５及び前記回路２３０は、上記したものより多くの要素を含んでいてもよいことに注意されたい。また、前記回路２２５及び前記回路２３０、及び前記回路２２５及び前記回路２３０の機能は、米国特許公開番号２００９−０２８９７２１Ａ１、発明の名称「ＲＦパワーアンプを含むＲＦフロントエンド・モジュールのフルインテグレーションのための回路、プロセス、デバイス、及びシステム」に詳細に説明されている。
【００３０】
前記スイッチ３２５は、制御信号に応答して前記キャパシタ３０５及び前記キャパシタ３１５に関連して前記トランシーバ２０５を前記ＷＬＡＮモード及び前記ブルートゥース・モードの一方で動作させる金属酸化物半導体スイッチであってよい。前記制御信号は、前記トランシーバ２０５の動作の所望のモードに基づいて生成される。動作の所望のモードは、前記トランシーバ２０５を含む電子デバイスのユーザが選択することができる。例えば、所望のモードが前記ＷＬＡＮモードである場合、正のイネーブル信号が前記制御信号として生成され得、所望のモードが前記ブルートゥース・モードである場合、負のイネーブル信号が前記制御信号として生成され得る。前記正のイネーブル信号は前記スイッチ３２５を閉じ、前記負のイネーブル信号は前記スイッチ３２５を開かせる。前記制御信号は前記トランシーバ２０５内で生成されてもよく、或いは、前記トランシーバ２０５の外で生成されてもよい。
【００３１】
前記ＷＬＡＮモードでは前記スイッチ３２５は閉じている。前記スイッチ３２５が閉じているとき、前記キャパシタ３０５及び前記キャパシタ３１５は経路を提供する。前記ＷＬＡＮモードで信号を送信又は受信するための等価静電容量は、下記の数式に示すように前記キャパシタ３０５（Ｃ１）と前記キャパシタ３１５（Ｃ２）の静電容量の合計に等しい。
等価静電容量（Ｃ）＝Ｃ１＋Ｃ２
【００３２】
前記ＷＬＡＮモードの前記トランシーバ２０５の等価回路を図４Ａで説明する。前記等価回路は、前記ＷＬＡＮモードで前記トランシーバ２０５の高電力差動出力を前記ポート２５０に結合する前記バルン３３０を含む。一例において、前記バルン３３０は低電圧金属酸化物半導体スイッチを用いて構成され得る。等価静電容量はキャパシタ４０５で表す。
【００３３】
前記ブルートゥース・モードでは前記スイッチ３２５は開いている。この等価静電容量は、前記キャパシタ３０５の静電容量に等しい。
等価静電容量（Ｃ）＝Ｃ１
【００３４】
前記ブルートゥース・モードの前記トランシーバ２０５の等価回路を図４Ｂで説明する。前記等価回路は、２つの共振子を有する結合されたＲＦフィルタを表す。一例において、第１の共振子は前記チューニング回路３６５を含み、第２の共振子は前記キャパシタ３０５に関連する前記バルン３３０を含む。前記２つの共振子を有する前記ＲＦフィルタは、前記ブルートゥース・モードで前記トランシーバ２０５の低電力シングルエンド出力を前記ポート２５０に結合する。
【００３５】
前記ＷＬＡＮモードでは、前記スイッチ３２５は、前記キャパシタ３１５に関連して低電力トランシーバを高電力トランシーバのＰＡに起因する高電圧振幅から分離する。一例において、前記低電力トランシーバは、前記送信部３９３及び前記受信部３９４を含み、前記高電力トランシーバは、前記送信部３９１及び前記受信部３９２を含む。前記キャパシタ３１５に関連する前記スイッチ３２５は更に、前記低電力トランシーバのマッチング・ネットワークを分離することにより、ＷＬＡＮモードの間、前記高電力トランシーバの信号損失を最小化する。一例において、前記低電力トランシーバのマッチング・ネットワークは、前記チューニング回路３６５であってよい。
【００３６】
一実施例において、前記トランシーバ２０５は、前記バルン３３０を用いて前記ポート２５０の５０オームのインピーダンスを一層低い値に変換することによって前記ＷＬＡＮモードで、例えば２４デシベル・ミリワット（ｄＢｍ）より大きい出力電力を有する信号を送信することができる。前記トランシーバ２０５は更に、最小インピーダンス変換の前記ブルートゥース・モードで、例えば、１２ｄＢｍより低い出力電力を有する信号を送信することもできる。
【００３７】
別の実施例において、前記キャパシタ３１５が存在しない場合、前記ＷＬＡＮポート３１０、前記ブルートゥース・ポート３２０、及び前記ポート２５０は独立して機能することができる。
【００３８】
前記トランシーバ２０５の種々のモードを可能にする前記スイッチの種々の構成を表１に示す。
【表１】
2013516897.tif 000003
【００３９】
表１を参照すると、Ｄ／Ｃは、スイッチ構成が前記トランシーバ２０５の機能に影響を与えない「Do Not Care」状態を表し、ＧＮＤは電気的接地接続を表し、ＶＤＤは電源を表し、ＢＩＡＳはバイアス電圧を表し、ＰＡＮ  ＲＦ  ＩＮＰＵＴは、前記パワーアンプからのＲＦ信号を表す。
【００４０】
次に図５Ａを参照すると、前記回路２２０は、変圧器５１０（第２の要素）に結合されるスイッチ５０５（第２のスイッチと呼ぶこともある第１の要素）を含む。前記変圧器５１０はスイッチ５１５（第１のスイッチ）に結合され、後述ではこれを前記スイッチ５１５と呼ぶ。前記変圧器５１０はポート５２０に結合される。前記ポート５２０の例は、これらに限らないが、前記ＲＦポート、前記ブルートゥース・ポート、前記ＺｉｇＢｅｅポート、前記ＷＬＡＮポート、前記２Ｇポート、前記２．５Ｇポート、及び前記３Ｇポートを含む。
【００４１】
前記スイッチ５０５及び前記スイッチ５１５は、前記変圧器５１０を用いて、前記ＷＬＡＮモードの送信部５３０及び前記ブルートゥース・モードの送信部５３５に結合される。前記送信部５３０は、スイッチ５８０、スイッチ５４０、及びスイッチ５４５を用いて、前記ＷＬＡＮモードのトランスミッタとして構成され得る。前記送信部５３５は、前記スイッチ５８０、スイッチ５５０、及びスイッチ５５５を用いて、前記ブルートゥース・モードのトランスミッタとして構成され得る。前記スイッチ５８０は、前記ＷＬＡＮモードの前記送信部５３０と前記ブルートゥース・モードの前記送信部５３５の間の分離を制御する。前記スイッチ５８０は更に、前記ＷＬＡＮモードの受信部５８５と前記ブルートゥース・モードの受信部５９０の間の分離も制御する。前記ＷＬＡＮモードの前記受信部５８５と前記ブルートゥース・モードの前記受信部５９０は、前記変圧器５１０を用いて前記スイッチ５０５及び前記スイッチ５１５に結合される。前記受信部５８５は、前記スイッチ５８０、スイッチ５６０、及びスイッチ５６５を用いて、前記ＷＬＡＮモードのレシーバとして構成され得る。前記受信部５９０は、前記スイッチ５８０、スイッチ５７０、及びスイッチ５７５を用いて、前記ブルートゥース・モードのレシーバとして構成され得る。キャパシタ５２５は、前記変圧器５１０に関連して前記ＷＬＡＮモード及び前記ブルートゥース・モードに対しフィルタリング及びマッチングする信号を提供する。
【００４２】
前記スイッチ５４０及び前記スイッチ５４５は、前記ＷＬＡＮモードの前記送信部５３０内のＰＡ及びＰＰＡの少なくとも一つとして機能し得るトランジスタ５９１に結合される。前記スイッチ５６０及び前記スイッチ５６５は、前記ＷＬＡＮモードの前記受信部５８５内のＬＮＡへの経路として機能し得るトランジスタ５９３に結合される。前記スイッチ５５０及び前記スイッチ５５５は、前記ブルートゥース・モードの前記送信部５３５内のＰＡ及びＰＰＡの少なくとも一つとして機能し得るトランジスタ５９２に結合される。前記スイッチ５７０及び前記スイッチ５７５は、前記ブルートゥース・モードの前記受信部５９０内のＬＮＡへの経路として機能し得るトランジスタ５９４に結合される。前記ＷＬＡＮモードの前記受信部５８５は、ノードＮ１及びＮ２を介して前記キャパシタ５２５に結合され得る。前記ブルートゥース・モードの前記受信部５９０は、ノードＮ１を介して前記キャパシタ５２５に結合され得る。
【００４３】
前記スイッチ５４０及び前記スイッチ５４５は、制御信号に応答して、前記変圧器５１０に関連して前記ＷＬＡＮモード及び前記ブルートゥース・モードの少なくとも一方で前記トランシーバ２０５を動作させる金属酸化物半導体スイッチであってよい。前記制御信号は、一つ又は複数の信号の組み合わせであってよく、前記トランシーバ２０５の動作の所望のモードに基づいて生成され得る。
【００４４】
種々のモードの前記トランシーバ２０５内のスイッチの種々の構成を表２に示す。
【表２】
2013516897.tif 000004
【００４５】
表２を参照すると、ＧＮＤは電気的接地接続を表し、ＶＤＤは電源を表し、ＢＩＡＳはバイアス電圧を表し、ＰＡＮ  ＲＦ  ＩＮＰＵＴは前記パワーアンプからのＲＦ信号を表す。
【００４６】
次に図５Ｂを参照すると、前記回路２２０は、変圧器５１０（第２の要素）に結合されるスイッチ５０５（第１の要素）を含む。前記変圧器５１０はスイッチ５１５（第１のスイッチ）に結合される。前記変圧器５１０は、ポート５９５及びポート５９６に結合される。一例において、前記ポート５９５は前記ＷＬＡＮポートであり得、前記ポート５９６は前記ブルートゥース・ポートであり得る。前記ポート５９５及び前記ポート５９６の例は、これらに限らないが、前記ＲＦポート、前記ＺｉｇＢｅｅポート、前記２Ｇポート、前記２．５Ｇポート、及び前記３Ｇポートを含み得る。
【００４７】
前記スイッチ５０５及び前記スイッチ５１５は、前記変圧器５１０を用いて、前記ＷＬＡＮモードの送信部５３０と前記ブルートゥース・モードの送信部５３５に結合される。前記送信部５３０は、スイッチ５８０、スイッチ５４０、及びスイッチ５４５を用いて前記ＷＬＡＮモードのトランスミッタとして構成され得る。前記送信部５３５は、前記スイッチ５８０、スイッチ５５０、及びスイッチ５５５を用いて前記ブルートゥース・モードのトランスミッタとして構成され得る。前記スイッチ５８０は、前記ＷＬＡＮモードの前記送信部５３０と前記ブルートゥース・モードの前記送信部５３５の間の分離を制御する。前記スイッチ５８０は更に、前記ＷＬＡＮモードの受信部５８５と前記ブルートゥース・モードの受信部５９０の間の分離も制御する。前記ＷＬＡＮモードの前記受信部５８５と前記ブルートゥース・モードの前記受信部５９０は、前記変圧器５１０を用いて前記スイッチ５０５及び前記スイッチ５１５に結合される。前記受信部５８５は、前記スイッチ５８０、スイッチ５６０、及びスイッチ５６５を用いて前記ＷＬＡＮモードのレシーバとして構成され得る。前記受信部５９０は、前記スイッチ５８０、スイッチ５７０、及びスイッチ５７５を用いて前記ブルートゥース・モードのレシーバとして構成され得る。前記キャパシタ５２５は、前記変圧器５１０に関連して、前記ＷＬＡＮモード及び前記ブルートゥース・モードに対しフィルタリング及びマッチングする信号を提供する。
【００４８】
前記スイッチ５４０及び前記スイッチ５４５は、前記ＷＬＡＮモードの前記送信部５３０内のＰＡ及びＰＰＡの少なくとも一つとして機能し得るトランジスタ５９１に結合される。前記スイッチ５６０及び前記スイッチ５６５は、前記ＷＬＡＮモードの前記受信部５８５内のＬＮＡへの経路として機能し得るトランジスタ５９３に結合される。前記スイッチ５５０及び前記スイッチ５５５は、前記ブルートゥース・モードの前記送信部５３５内のＰＡ及びＰＰＡの少なくとも一つとして機能し得るトランジスタ５９２に結合される。前記スイッチ５７０及び前記スイッチ５７５は、前記ブルートゥース・モードの前記受信部５９０内のＬＮＡへの経路として機能し得るトランジスタ５９４に結合される。前記ＷＬＡＮモードの前記受信部５８５は、ノードＮ１及びＮ２を介して前記キャパシタ５２５に結合され得る。前記ブルートゥース・モードの前記受信部５９０は、ノードＮ１を介して前記キャパシタ５２５に結合され得る。
【００４９】
種々のモードの前記トランシーバ２０５内のスイッチの各々の種々の位置を表３に示す。
【表３】
2013516897.tif 000005
【００５０】
表３を参照すると、ＧＮＤは電気的接地接続を表し、ＶＤＤは電源を表し、ＢＩＡＳはバイアス電圧を表し、ＰＡＮ  ＲＦ  ＩＮＰＵＴは前記パワーアンプからのＲＦ信号を表す。
【００５１】
図５Ａ及び５Ｂは、前記第１のモード及び前記第２のモードの２つのモードを用いて説明しており、前記トランシーバ２０５は幾つかのモードを選択する能力を有し得ること注意されたい。例えば、前記変圧器５１０は、２つ以上のモードを選択する能力を有するスイッチとして機能する、更に多くの数のコイルを含み得る。
【００５２】
異なるモードに対し多数のＲＦ出力を選択する前記変圧器５１０の能力を説明するため、これらのモードに対応する送信部を有する前記回路２２０の簡略化した形式を図６で説明する。ここで図６を参照すると、前記回路２２０は、第１のスイッチ６１０（第１の要素、ＳＷ１）、後述ではこれを前記スイッチ６１０と呼ぶ、に結合される第１のバイアス回路６０５（ＶＢＩＡＳ１）を含み、後述ではこれを前記バイアス回路６０５と呼ぶ。前記スイッチ６１０は、変圧器６１５（第２の要素、ＳＷ２）に結合される。前記回路２２０は、第２のスイッチ６２５（第１のスイッチ）、後述ではこれを前記スイッチ６２５と呼ぶ、に結合される第２のバイアス回路６２０（ＶＢＩＡＳ２）を含み、後述ではこれを前記バイアス回路６２０と呼ぶ。前記第２のスイッチ６２５は前記変圧器６１５に結合される。前記変圧器６１５は、一つ又は複数のポートに結合され得、前記一つ又は複数のポートのうち或るポートからの信号を選択するスイッチとして機能する。
【００５３】
前記回路２２０は、前記第１のモード、例えば前記３Ｇモードで、トランスミッタとして動作するように構成され得る回路６３５（第１の回路）に結合される。前記回路２２０は、前記第２のモード、例えば２Ｇモード及び２．５Ｇモードで、トランスミッタとして動作するように構成され得る回路６４０（第２の回路）に結合される。前記変圧器６１５と前記３ＧモードのＰＡ６５５との間にネットワーク６４５が結合され、信号をマッチング及び分離する。前記変圧器６１５と前記２Ｇモード及び２．５ＧモードのＰＡ６６０との間にネットワーク６５０が結合され、前記信号をマッチング及び分離する。
【００５４】
一実施例において、前記回路２２０は、ＰＰＡ６３０（３Ｇ  ＰＰＡ）と前記３Ｇモードの前記ＰＡ６５５との間、及び前記ＰＰＡ６３０と前記２Ｇモード及び２．５ＧモードのＰＡ６６０との間に結合される。前記ＰＰＡ６３０は、信号生成器（Ｗ−ＣＤＭＡ／ＥＤＧＥ）に結合される。前記ＰＰＡ６３０はイネーブル信号（ＥＮ＿３ＧＰＰＡ）を受信することができる。
【００５５】
前記スイッチ６１０及び前記スイッチ６２５は、バイアス電圧に応答して、前記変圧器６１５に関連して、前記３Ｇモードと、前記２Ｇモード及び前記２．５Ｇモードの少なくとも一方とのうち一つで前記トランシーバ２０５を動作させる金属酸化物半導体スイッチであってよい。バイアス電圧は、前記バイアス回路６０５及び前記バイアス回路６２０によって生成され得る。前記バイアス回路６０５及び前記バイアス回路６２０を併せてバイアス回路と呼ぶこともできる。一実施例において、前記バイアス回路６０５及び前記バイアス回路６２０は、前記３Ｇモード、前記２Ｇモード及び２．５Ｇモードに特定のバイアス電圧を生成するようにプログラムが書き換えられてもよい。前記バイアス電圧は、前記トランシーバ２０５の動作の所望のモードに基づいて生成され得る。
【００５６】
一例において、前記スイッチ６１０及び前記スイッチ６２５は、相補型金属酸化物半導体スイッチであってよい。
【００５７】
前記回路２２０は、非収束構成及び収束構成で用いることができる。非収束構成は、個別のＰＡ及びマッチング回路を用いる、前記３Ｇモードと前記２Ｇ及び２．５Ｇモードとの間の送信を指すことができる。収束構成は、単一のＰＡ及び単一のマッチング回路を用いる、前記３Ｇモード及び２Ｇ及び２．５Ｇモードでの送信を指すことができる。
【００５８】
図６は２つのモードを用いて説明していることに注意されたい。しかし、前記変圧器６１５は、２つ以上のモードを選択する能力を有するスイッチとして機能する、更に多くの数のコイルを含み得る。
【００５９】
ＥＤＧＥ非収束モード及びＷ−ＣＤＭＡ収束モードを用いる前記３Ｇモードでの信号送信を図７Ａ及び７Ｂに関連して説明する。
【００６０】
図７Ａを参照すると、前記回路２２０は、前記非収束ＥＤＧＥモードで一端のＰＰＡ６３０からのＥＤＧＥ信号を他方の端のＰＡ６６０に結合する。
【００６１】
スイッチ６１０は閉じており、スイッチ６２５は開いている。バイアス回路６０５は、電圧ＶＤＤでバイアスが掛けられる。ＰＰＡ７０５（２／２．５Ｇ  ＰＰＡ）のトゥルー（true）及び相補出力は、高インピーダンス状態に構成される。前記スイッチ６１０及び前記スイッチ６２５、及び前記バイアス回路６０５は、ＰＰＡ６３０からの前記ＥＤＧＥ信号をイネーブルにし、変圧器６１５を介して回路６４０に結合するように構成される。
【００６２】
前記ＰＰＡ７０５は、信号生成器（ＧＳＭ／ＧＰＲＳ）に結合される。前記ＰＰＡ７０５は信号ＥＮ＿ＯＵＴ＋及びＥＮ＿ＯＵＴ−を受信し、信号２／２．５ＧＯＵＴ＋及び２／２．５  ＧＯＵＴ−を出力することができる。
【００６３】
次に図７Ｂを参照すると、前記回路２２０は、前記Ｗ−ＣＤＭＡ収束モードにおいて、一端のＰＰＡ６３０からのＷ−ＣＤＭＡ信号を他方の端のＰＡ６５５に結合する。
【００６４】
スイッチ６１０は開いており、スイッチ６２５は閉じている。バイアス回路６２０は、ＶＤＤの半分に等しい電圧でバイアスが掛けられる。一例において、前記ＶＤＤ=５Vであり、前記バイアス回路６２０は２．５Ｖでバイアスが掛けられる。前記ＰＰＡ７０５のトゥルー及び相補出力は、前記高インピーダンス状態に構成される。前記スイッチ６１０及び前記スイッチ６２５及び前記バイアス回路６２０は、前記ＰＰＡ６３０からの信号をイネーブルにし、変圧器６１５を介して回路６３５に結合するように構成される。
【００６５】
ＧＳＭ（global system for mobile communication）及びＧＰＲＳ（general packet radio service）を用いる前記２Ｇモードの信号送信を図７Ｃに関連して説明する。
【００６６】
ここで図７Ｃを参照すると、前記ＧＳＭ及び前記ＧＰＲＳを用いる前記２Ｇモードにおいて、ＰＰＡ６３０のトゥルー及び相補出力は、前記高インピーダンス状態に構成され、ＰＰＡ７０５を介して２Ｇ信号が駆動される。
【００６７】
前記２Ｇ収束モードでは、バイアス回路６２０はＶＤＤにバイアスされ、スイッチ６２５は閉じており、スイッチ６１０は開いている。前記ＰＰＡ７０５のトゥルー出力は、前記高インピーダンス状態に構成され、前記ＰＰＡ７０５の相補出力は、２Ｇ信号を提供するように構成される。前記２Ｇ信号は、前記ＰＰＡ７０５を介して前記収束回路６３５に結合される。前記変圧器６１５は、前記バイアス回路６２０からＤＣバイアスを供給しつつ、ＲＦチョークとして機能する。
【００６８】
前記２Ｇ非収束モードでは、前記バイアス回路６０５はＶＤＤにバイアスされ、前記スイッチ６１０は閉じており、前記スイッチ６２５は開いている。前記ＰＰＡ７０５のトゥルー出力は前記高インピーダンス状態に構成され、前記ＰＰＡ７０５の相補出力は前記２Ｇ信号を提供するように構成される。前記２Ｇ信号は、前記ＰＰＡ７０５を介して非収束回路６４０に結合される。前記変圧器６１５は、前記回路６０５から前記ＤＣバイアスを供給しつつ、ＲＦチョークとして機能する。
【００６９】
図７Ｄは、単一のＰＡを用いる２Ｇ収束モードの信号送信を示す一例である。
【００７０】
ＰＰＡ６３０のトゥルー及び相補出力は、前記高インピーダンス状態に構成され、ＰＰＡ７０５を介して２Ｇ信号が駆動される。
【００７１】
前記２Ｇ収束モードでは、バイアス回路６２０はＶＤＤにバイアスされ、スイッチ６２５は閉じており、スイッチ６１０は開いている。前記ＰＰＡ７０５の相補出力は、前記高インピーダンス状態に構成され、前記ＰＰＡ７０５のトゥルー出力は２Ｇ信号を提供するように構成される。前記２Ｇ信号は、前記ＰＰＡ７０５からマッチング・ネットワーク７１５を介してＰＡ７１０に結合される。前記ＰＡ７１０は、３Ｇ、２Ｇ、及び２．５Ｇ収束ＰＡであってよい。前記マッチング・ネットワーク７１５は、例えば３Ｇマッチング・ネットワークであってよい。前記変圧器６１５は、前記回路６２０からＤＣバイアスを供給しつつ、ＲＦチョークとして機能する。
【００７２】
図７Ｅは、単一のＰＡを用いる３Ｇ収束モードの信号送信を示す一例である。
【００７３】
ＰＰＡ７０５のトゥルー及び相補出力は、前記高インピーダンス状態に構成され、ＰＰＡ６３０を介して３Ｇ信号が駆動される。
【００７４】
前記３Ｇ収束モードにおいて、回路６２０はＶＤＤに駆動され、スイッチ６２５は閉じており、スイッチ６１０は開いている。前記３Ｇ信号は、前記ＰＰＡ６３０からマッチング・ネットワーク７１５を介してＰＡ７１０に結合される。変圧器６１５は、前記回路６２０からＤＣバイアスを供給しつつ、ＲＦチョークとして機能する。
【００７５】
一実施例において、前記回路２２０、前記回路６３５、及び前記回路６４０は、前記トランシーバ２０５内に存在し得る。前記変圧器６１５、前記スイッチ６１０、及び前記スイッチ６２５を有することにより、個別のトランシーバ及びフロントエンド・モジュールを有するコストが低減される。
【００７６】
幾つかの実施例において、前記キャパシタ３１５、前記キャパシタ３０５、及び前記スイッチ３２５は、個別のトランシーバ及びフロントエンド・モジュールを有するコストを低減する。
【００７７】
図８は、例えば前記トランシーバ２０５などのマルチ・モード・トランシーバを動作させるための方法を説明するフローチャートである。前記マルチ・モード・トランシーバは、第１のモード及び第２のモードの少なくとも一方で動作し得る。前記第１のモードは、無線ローカル・エリア・ネットワーク（ＷＬＡＮ）・モード、ブルートゥース・モード、ＺｉｇＢｅｅモード、広帯域符号分割多元接続（Ｗ−ＣＤＭＡ）モード、ＥＤＧＥ（enhanced data rates for global system mobile communication evolution）モード、３Ｇモード、２．５Ｇモード、及び２Ｇモードの一つであってよい。前記第２のモードは前記ＷＬＡＮモード、前記ブルートゥース・モード、前記ＺｉｇＢｅｅモード、前記Ｗ−ＣＤＭＡモード、前記ＥＤＧＥモード、前記３Ｇモード、前記２．５Ｇモード、及び前記２Ｇモードの一つであってよい。
【００７８】
工程８０５において、前記マルチ・モード・トランシーバの動作の所望のモードに応答して制御信号が生成される。この所望のモードは、前記マルチ・モード・トランシーバを含む電子デバイスのユーザの入力に基づいて選択され得る。
【００７９】
幾つかの実施例において、工程８０５は、前記マルチ・モード・トランシーバによって又は前記マルチ・モード・トランシーバの外部の回路によって実行され得る。
【００８０】
工程８１０において、前記制御信号に基づいて、前記マルチ・モード・トランシーバの一つ又は複数のスイッチが構成される。前記制御信号はバイアス電圧を含み得る。一例において、図３の前記トランシーバ２０５の前記スイッチ３２５、又は図５Ａ及び図５Ｂの前記トランシーバ２０５の前記スイッチ５０５及び前記スイッチ５１５は、前記制御信号を用いて構成され得る。別の例では、図６の前記スイッチ６１０及び前記スイッチ６２５は、前記バイアス電圧を用いて構成され得る。
【００８１】
工程８１５において、前記マルチ・モード・トランシーバは、前記制御信号に応答して、前記マルチ・モード・トランシーバの前記一つ又は複数のスイッチ、一つ又は複数の要素、及び一つ又は複数の回路を用いて、前記第１のモード及び前記第２のモードの少なくとも一方でトランスミッタ及びレシーバの少なくとも一つとして動作される。一例において、前記マルチ・モード・トランシーバは、図３の前記トランシーバ２０５の前記スイッチ３２５、前記キャパシタ３０５、及び前記キャパシタ３１５を用いて前記ＷＬＡＮモード又は前記ブルートゥース・モードの少なくとも一方で動作される。別の例では、前記マルチ・モード・トランシーバは、図５Ａ及び図５Ｂの前記スイッチ５０５、前記スイッチ５１５、及び前記変圧器５１０を用いて前記ＷＬＡＮモード又は前記ブルートゥース・モードの少なくとも一方で動作される。前記スイッチ５０５、前記スイッチ５１５、及び前記変圧器５１０は、前記マルチ・モード・トランシーバを前記３Ｇモード又は前記２Ｇ／２．５Ｇモードで動作させるために用いることもできる。更に別の例において、前記マルチ・モード・トランシーバは、図６の前記スイッチ６１０、前記スイッチ６２５、及び前記変圧器６１５を用いて前記３Ｇモード又は前記２Ｇ／２．５Ｇモードで動作される。
【００８２】
図９Ａは、ＷＬＡＮモードで動作する、例えば図３の前記トランシーバ２０５などの、マルチ・モード・トランシーバの挿入損失を図示するグラフである。挿入損失は、或るネットワーク内に、例えば前記マルチ・モード・トランシーバなどの或るデバイスを挿入することに起因する信号電力の損失である。一例において、前記挿入損失は、前記ＷＬＡＮモードでの信号の送信及び受信の一つに対しマイナス１．４５デシベル（−１．４５ｄＢ）である。前記挿入損失は散乱パラメータ分析から判定することができる。散乱パラメータ分析は、或るシステム内の種々のパラメータを判定するために用いられる。前記パラメータの例は、これらに限らないが、システムの損失、利得、及び安定性を含む。前記ＷＬＡＮモードの散乱パラメータ分析を図１１Ａに示す。
【００８３】
図９Ｂは、ブルートゥース・モードで動作する、例えば図３の前記トランシーバ２０５などの、マルチ・モード・トランシーバの挿入損失を図示するグラフである。一例において、前記挿入損失は、前記ブルートゥース・モードでの信号の送信及び受信の一つに対しマイナス１．４５ｄＢ（−１．４５ｄＢ）である。前記ブルートゥース・モードの散乱パラメータ分析を図１１Ｂに示す。
【００８４】
図９Ｃは、無線ローカル・エリア・ネットワーク・モード及びブルートゥース・モードで動作する、例えば図３の前記トランシーバ２０５などの、マルチ・モード・トランシーバの挿入損失を図示するグラフである。前記マルチ・モード・トランシーバは、前記無線ローカル・エリア・ネットワーク・モード及び前記ブルートゥース・モードで信号を受信するよう動作する。前記挿入損失は、前記ＷＬＡＮモードでの前記信号の受信に対しマイナス２．５ｄＢ（−２．５ｄＢ）であり、前記挿入損失は、前記ブルートゥース・モードでの前記信号の受信に対しマイナス５．７ｄＢ（−５．７ｄＢ）である。前記ＷＬＡＮモード及び前記ブルートゥース・モードでの前記挿入損失は、非対称な損失であり、図３に示した前記キャパシタ３０５の及び前記キャパシタ３１５の静電容量に基づいて制御され得る。
【００８５】
図１０は、無線ローカル・エリア・ネットワーク・モード及びブルートゥース・モードで動作する、例えば図３の前記トランシーバ２０５などの、マルチ・モード・トランシーバの挿入損失を図示するグラフである。ブルートゥース送信モードにおいてブルートゥース・ポートからＷＬＡＮポートまで分離した場合の挿入損失をグラフ１００１に示す。ＷＬＡＮ送信モードにおいてＷＬＡＮポートからブルートゥース・ポートまで分離した場合の挿入損失をグラフ１００２に示す。前記マルチ・モード・トランシーバ内の前記分離は、低電力スイッチを用いて達成される。
【００８６】
前述の説明において、「結合される」という用語は、接続されるデバイス間の直接の電気的接続、又は媒介デバイスを介する間接的接続のいずれかを指す。「信号」という用語は、電流、電圧、チャージ、データ、又は他の信号の少なくとも１つを指す。
【００８７】
例示の実施例の文脈で説明したような特徴又は工程のすべて又はその幾つかを有する例示の実施例の文脈で説明した１つ又はそれ以上の特徴又は工程の異なる組み合わせを有する実施例も、本明細書に包含されることも意図している。当業者であれば、他の多くの実施例及び変形も特許請求の範囲に包含されることが理解されるであろう。
【図１】
2013516897.tif 000006
【図２】
2013516897.tif 000007
【図３】
2013516897.tif 000008
【図４Ａ】
2013516897.tif 000009
【図４Ｂ】
2013516897.tif 000010
【図５Ａ】
2013516897.tif 000011
【図５Ｂ】
2013516897.tif 000012
【図６】
2013516897.tif 000013
【図７Ａ】
2013516897.tif 000014
【図７Ｂ】
2013516897.tif 000015
【図７Ｃ】
2013516897.tif 000016
【図７Ｄ】
2013516897.tif 000017
【図７Ｅ】
2013516897.tif 000018
【図８】
2013516897.tif 000019
【図９Ａ】
2013516897.tif 000020
【図９Ｂ】
2013516897.tif 000021
【図９Ｃ】
2013516897.tif 000022
【図１０】
2013516897.tif 000023
【図１１Ａ】
2013516897.tif 000024
【図１１Ｂ】
2013516897.tif 000025
【国際調査報告】
2013516897.tif 000026
2013516897.tif 000027